(57)【特許請求の範囲】
【請求項１】
給油所には複数の計量機が設けられ、各計量機は管理所に設けられた販売管理装置に信号線で接続され、この管理所にはコンビニエンスストアが併設され、該コンビニエンスストアの商品が管理所に設けられた販売管理装置で精算されるように前記複数台の計量機に接続され、販売管理装置は商品販売データを分類し、分類した商品販売データを分類別に通信回線を介して石油配送センターのコンピュータから送信信号を受けて石油配送センター向けの商品販売データを出力し、商品発送センターのコンピュータから送信信号を受けて商品発送センター向けの商品販売データを出力し、カードセンターのコンピュータから送信信号を受けてカードセンター向けの商品販売データが出力されるように、各計量機からの商品販売を制御する機能と、入力器からの商品販売を制御する機能と、商品販売データを分類する機能と、分類した商品販売データを分類別のホストコンピュータへ送信する機能を有するものであることを特徴とする給油所の販売管理装置。
【発明の詳細な説明】
【０００１】
【発明の属する技術分野】
本発明は、コンビニエンスストアを併設した給油所で使用する、給油所用の販売管理装置に関するものである。
【０００２】
【従来の技術】
近年、コンビニエンスストアを併設して経営の多角化を計っている給油所が増加しつつある。ところで、従来の給油所用の販売管理装置は、計量機の制御及び計量機で給油された給油データの管理を主な目的とされているために、新たに併設されたコンビニエンスストアでの販売管理には使用できず、コンビニエンスストア用の販売管理装置を別個に設置している。そのために、経営が同じであるにも拘わらず商品販売の一元管理ができず、販売管理装置が二台設置されて投資コストが嵩んでいた。また、各センターのコンピュータへの通信が直接できず、通信コストが嵩んでいた。
【０００３】
【発明が解決しようとする課題】
本発明の目的は前記従来例の不都合を解消し、コンビニエンスストアを併設した給油所で、商品販売の一元管理ができ、投資コストが少なくて済み、各センターのコンピュータへの通信を直接できるようにして、通信コストを安くできるようにした給油所用の販売管理装置を提供することである。
【０００４】
【課題を解決するための手段】
上記目的を達成するために、本発明の給油所用の販売管理装置は、複数台の計量機に接続され、各計量機からの商品販売を制御する機能と、入力器からの商品販売を制御する機能と、商品販売データを分類する機能と、分類した商品販売データを分類別のホストコンピュータへ送信する機能を有している。このように、一台の販売管理装置で計量機からの商品販売と入力器からの商品販売を制御できるので、コンビニエンスストアを併設した給油所で販売の一元管理ができ投資コストが少なくて済む。また、商品販売データを分類して分類別に送信するので、各センターのコンピュータへの通信が直接でき、通信コストを安くできる。
【０００５】
【発明の実施の形態】
以下、本発明の実施の形態を説明する。図１に示すように、給油所１には複数の計量機２が設けられ、各計量機２は管理所３に設けられた販売管理装置４に信号線５で接続されている。この管理所３にはコンビニエンスストア６が併設され、管理所３に設けられた販売管理装置４で精算されるようになっている。そして、販売管理装置４は商品販売データを分類し、分類した商品販売データを分類別に通信回線７を介して送信する。例えば、石油配送センターのコンピュータ８から送信信号を受けて石油配送センター向けの商品販売データを出力し、商品発送センターのコンピュータ９から送信信号を受けて商品発送センター向けの商品販売データを出力し、カードセンターのコンピュータ１０から送信信号を受けてカードセンター向けの商品販売データが出力されるようになっている。そして、各コンピュータ８、９、１０からのデータに基づいて、商品の発送又は金銭の決済が行われるようになっている。
【０００６】
図２に示すように、計量機２のケース２１内には、図示しない貯油タンクからの配管２２が配設され、この配管２２にポンプ２３及び流量計２４が介装されている。そして、配管２２には先端に給油ノズル２５が設けられた給油ホース２６が接続され、給油ノズル２５を掛けるノズル掛け２７にノズルスイッチ２８が設けられている。ケース２１内に設けられた給油制御手段２９にはノズルスイッチ２８からの開閉信号、及び流量計２４からの流量信号が入力し、給油制御手段２９からポンプ２３へ駆動信号、及び表示器３０へ給油量表示信号が出力している。
【０００７】
また、給油制御手段２９は、ノズルスイッチ２８から閉信号を受けて表示器３０を帰零して給油要求信号を販売管理装置４へ出力し、販売管理装置４から給油許可信号を受けてポンプ２３へ駆動信号を出力し、ノズルスイッチ２８から開信号を受けてポンプ２３の駆動を停止し、給油データを販売管理装置４へ出力する。
【０００８】
販売管理装置４には、タッチキー４１付きの表示器４２と、キーボード４３と、カードリーダ４４と、バーコードリーダ４５と、プリンタ４６と、レジボックス４７が設けられている。そして、表示器４２は計量機管理表示部４８と販売管理表示部４９に区画されている。
【０００９】
図３に示すように、販売管理装置４の管理制御手段５０は、計量機２から給油要求信号を受けて計量機管理表示部４８に給油要求表示をし、給油要求表示された計量機管理表示部４８のタッチキー４１の押圧信号を受けて給油許可信号を計量機２へ出力し、計量機２から給油データを受けて計量機管理表示部４８に給油終了表示をし、給油終了表示された計量機管理表示部４８のタッチキー４１の押圧信号を受けて伝票発行信号をプリンタ４６へ出力し、この商品販売データを記憶手段５１の給油データ記憶部５２に記憶して管理する。
【００１０】
また、販売管理装置４の管理制御手段５０は、キーボード４３又はバーコードリーダ４５の入力器からの商品販売信号を販売管理表示部４９に表示し、キーボード４３の発行キーの押圧信号を受けて伝票発行信号をプリンタ４６へ出力し、この商品販売データを記憶手段５１の商品データ記憶部５３に記憶して管理する。
【００１１】
さらに、販売管理装置４の管理制御手段５０は、クレジットカードによる商品販売の場合は、カードリーダ４４で読まれたカードデータと共に商品販売データを記憶手段５１のクレジットデータ記憶部５４に記憶して管理する。
【００１２】
そして、管理制御手段５０は、石油配送センターのコンピュータ８から送信信号を受けて給油データ記憶部５２に記憶されている商品販売データを出力し、商品発送センターのコンピュータ９から送信信号を受けて商品データ記憶部５３に記憶されている商品販売データを出力し、カードセンターのコンピュータ１０から送信信号を受けてクレジットデータ記憶部５４に記憶されている商品販売データを出力するようになっている。このようにして各コンピュータ８、９、１０へ送られた商品販売データに基づいて、商品の発送又は金銭の決済が行われるようになっている。
【００１３】
次に、計量機２からの商品販売の場合の動作を説明する。自動車へ給油するために計量機２の給油ノズル２５をノズル掛け２７から外すと、ノズルスイッチ２８より閉信号が給油制御手段２９に伝わり、給油制御手段２９は表示器３０を帰零し、販売管理装置４へ給油要求信号を出力する。計量機２から給油要求信号を受けた販売管理装置４の管理制御手段５０は、計量機管理表示部４８に給油要求表示をする。そして、安全を確認をした管理者が給油要求表示された計量機管理表示部４８のタッチキー４１を押すと、押圧信号が管理制御手段５０に伝わり、押圧信号を受けた管理制御手段５０は給油許可信号を計量機２へ出力する。
【００１４】
販売管理装置４から給油許可信号を受けた計量機２の給油制御手段２９はポンプ２３へ駆動信号を出力し、ポンプ２３が駆動される。そして、給油量は流量計２４で計量され、流量計２４からの流量信号は給油制御手段２９で演算され、給油量は表示器３０に表示される。所望量の給油が終わり、給油ノズル２５をノズル掛け２７に掛けると、ノズルスイッチ２８から開信号が給油制御手段２９へ伝わり、給油制御手段２９はポンプ２３の駆動を停止し、給油データを販売管理装置４へ出力する。
【００１５】
計量機２から給油データを受けた管理制御手段５０は、計量機管理表示部４８に給油終了表示をする。そして、給油を受けた顧客が管理所３へ精算にきて、管理者が給油終了表示された計量機管理表示部４８のタッチキー４１を押すと、押圧信号が管理制御手段５０に伝わり、この押圧信号を受けて管理制御手段５０は伝票発行信号をプリンタ４６へ出力し、プリンタ４６より給油伝票が発行される。この給油伝票に基づいて精算が行われ、現金はレジボックス４７に収納され、この商品販売データは記憶手段５１の給油データ記憶部５２に記憶して管理される。
【００１６】
コンビニエンスストア６からの商品販売の場合は、販売管理装置４のキーボード４３又はバーコードリーダ４５の入力器から商品販売データを管理制御手段５０へ入力すると、管理制御手段５０は商品販売データを販売管理表示部４９に表示し、キーボード４３の発行キーを押すと、管理制御手段５０は伝票発行信号をプリンタ４６へ出力し、プリンタ４６より販売伝票が発行される。この販売伝票に基づいて精算が行われ、現金はレジボックス４７に収納され、この商品販売データは記憶手段５１の商品データ記憶部５３に記憶して管理される。
【００１７】
クレジットカードにより商品販売された場合は、販売管理装置４の管理制御手段５０は、カードリーダ４４で読まれたカードデータと共に商品販売データを記憶手段５１のクレジットデータ記憶部５４に記憶して管理する。
【００１８】
そして、販売管理装置４の管理制御手段５０は、石油配送センターのコンピュータ８から送信信号を受けて給油データ記憶部５２に記憶されている商品販売データを出力し、商品発送センターのコンピュータ９から送信信号を受けて商品データ記憶部５３に記憶されている商品販売データを出力し、カードセンターのコンピュータ１０から送信信号を受けてクレジットデータ記憶部５４に記憶されている商品販売データを出力する。このようにして各コンピュータ８、９、１０へ送られた商品販売データに基づいて、商品の発送又は金銭の決済が行われる。
【００１９】
【発明の効果】
以上説明したように本発明の給油所用の販売管理装置は、複数台の計量機に接続され、各計量機からの商品販売を制御する機能と、入力器からの商品販売を制御する機能と、商品販売データを分類する機能と、分類した商品販売データを分類別のホストコンピュータへ送信する機能を有している。このように、一台の販売管理装置で計量機からの商品販売と入力器からの商品販売を制御できるので、コンビニエンスストアを併設した給油所で販売の一元管理ができ投資コストが少なくて済む。また、商品販売データを分類して分類別に送信するので、各センターのコンピュータへの通信が直接でき、通信コストを安くできるようになる。
【図面の簡単な説明】
【図１】  本発明の給油所用の販売管理装置を実施した全体の構成図である。
【図２】  本発明の給油所用の販売管理装置と計量機の構成図である。
【図３】  本発明の給油所用の販売管理装置のブロック図である。
【符号の説明】
１  給油所
２  計量機
３  管理所
４  販売管理装置
５  信号線
６  コンビニエンスストア
７  通信回線
８  石油配送センターのコンピュータ
９  商品発送センターのコンピュータ
１０  カードセンターのコンピュータ
２１  ケース
２２  配管
２３  ポンプ
２４  流量計
２５  給油ノズル
２６  給油ホース
２７  ノズル掛け
２８  ノズルスイッチ
２９  給油制御手段
３０  表示器
４１  タッチキー
４２  表示器
４３  キーボード
４４  カードリーダ
４５  バーコードリーダ
４６  プリンタ
４７  レジボックス
４８  計量機管理表示部
４９  販売管理表示部
５０  管理制御手段
５１  記憶手段
５２  給油データ記憶部
５３  商品データ記憶部
５４  クレジットデータ記憶部
【図１】
0003896652.tif 000002
【図２】
0003896652.tif 000003
【図３】
0003896652.tif 000004